(57)【要約】【課題】コンポーネント映像信号の垂直帰線期間に対しデータ信号をリアルタイムに重畳し得るデータ信号重畳装置を提供する。【解決手段】予めＤ１コンポーネント信号の信号フォーマットに合わせた複数種のＶＢＩパケットデータを記憶するＲＡＭ１６を用意しておき、Ｄ１コンポーネント信号を入力端子１１にそのまま入力し、データ消去器１３によってこのＤ１コンポーネント信号の該当するラインのデータを消去し、データ重畳器１４によって消去済みラインのデータをＲＡＭ１６から読み出される波形データに置き換えるようにしている。【選択図】      図３
2005277458.tif 000002
【特許請求の範囲】
【請求項１】
デジタル放送の番組情報信号を送出するデジタル放送番組送出装置に用いられ、
前記番組情報信号として放送するコンポーネント映像信号の信号フォーマットに合わせて生成され、コンポーネント映像信号中の垂直帰線期間に重畳すべくデータ信号を発生するデータ信号発生手段と、
前記コンポーネント映像信号を入力し、該コンポーネント映像信号に対する前記データ信号の重畳処理を実行する処理手段とを具備したことを特徴とするデータ信号重畳装置。
【請求項２】
前記データ信号発生手段は、前記データ信号の波形データが記憶された記憶媒体を備えることを特徴とする請求項１記載のデータ信号重畳装置。
【請求項３】
前記処理手段は、入力されたコンポーネント映像信号の前記データ信号を重畳すべく垂直帰線期間のデータを消去する消去手段と、この消去手段により消去されたデータを前記データ信号に置き換えるデータ置き換え手段とを備えることを特徴とする請求項１記載のデータ信号重畳装置。
【請求項４】
前記データ信号発生手段は、字幕データ、前記番組に関する放送制御データ及びタイムコードデータの少なくとも１つを前記データ信号として発生することを特徴とする請求項１記載のデータ信号重畳装置。
【請求項５】
デジタル放送の番組情報信号を送出するデジタル放送番組送出装置に用いられ、
前記番組情報信号として放送するコンポーネント映像信号中の垂直帰線期間に重畳すべくデータ信号を、前記コンポーネント映像信号の信号フォーマットに合わせて生成し、
前記コンポーネント映像信号を入力し、該コンポーネント映像信号に対する前記データ信号の重畳処理を実行することを特徴とするデータ信号重畳方法。
【発明の詳細な説明】
【技術分野】
【０００１】
この発明は、デジタル放送の番組情報信号を送出するデジタル放送番組送出設備に用いられ、特にデジタル放送の映像信号の垂直帰線期間に対し例えば字幕データ、放送制御データ等といったデータ信号を重畳するデータ信号重畳装置及びデータ信号重畳方法に関する。
【背景技術】
【０００２】
近年、デジタル放送技術の確立に伴い、通信衛星や放送衛星を使用する衛星放送システムではデジタル放送が普及し、さらに地上波放送システムにおいてもデジタル放送が開始されている。  
このようなデジタル放送では、種々の開発が進められている。特に、アナログ放送で実施されているように、映像・音声以外に、字幕データや番組に付随する各種データ、さらにネットキューといったネット受信放送システムで使用される放送制御データを、ベースバンド映像信号の垂直帰線期間（ＶＢＩ：Vertical Blanking Interval）にＶＢＩパケットデータとして多重して伝送することも求められている。
【０００３】
ところで、上記デジタル放送の放送局では、アナログＮＴＳＣ信号をデジタル化したＤ２コンポジット信号と、このＤ２コンポジット信号とはサンプリング周波数が異なるＤ１コンポーネント信号とを取り扱っている。Ｄ２コンポジット信号を取り扱う場合、既知のＤ２用ＶＢＩ重畳装置が使用される（例えば特許文献１）。
【０００４】
【特許文献１】特開２００２−２７１７５９号公報。
【発明の開示】
【発明が解決しようとする課題】
【０００５】
ところが、Ｄ１コンポーネント信号を取り扱う場合については、Ｄ１用ＶＢＩ重畳装置が未だに開発されておらず、Ｄ２用ＶＢＩ重畳装置を流用すると、Ｄ２用ＶＢＩ重畳装置の入力側及び出力側に、Ｄ２／Ｄ１変換装置及びＤ１／Ｄ２変換装置が必要となってしまい、このため、装置構成が極めて大型で高価なものになってしまう。  
また、Ｄ２／Ｄ１変換装置、Ｄ２用ＶＢＩ重畳装置及びＤ１／Ｄ２変換装置という処理過程を得る分、処理遅延等により、リアルタイム性を損なう場合もある。
【０００６】
そこで、この発明の目的は、周波数変換装置を不要とし、これにより装置構成の簡単小形化及び低価格化を図るとともに、コンポーネント映像信号の垂直帰線期間に対しデータ信号をリアルタイムに重畳し得るデータ信号重畳装置及びデータ信号重畳方法を提供することにある。
【課題を解決するための手段】
【０００７】
この発明は、上記目的を達成するために、以下のように構成される。  
デジタル放送の番組情報信号を送出するデジタル放送番組送出装置に用いられ、番組情報信号として放送するコンポーネント映像信号の信号フォーマットに合わせて生成され、コンポーネント映像信号中の垂直帰線期間に重畳すべくデータ信号を発生するデータ信号発生手段と、コンポーネント映像信号を入力し、該コンポーネント映像信号に対するデータ信号の重畳処理を実行する処理手段とを備えるようにしたものである。
【０００８】
この構成によれば、予めコンポーネント映像信号の信号フォーマットに合わせてデータ信号を生成しておき、コンポーネント映像信号をそのまま入力して、このコンポーネント映像信号の垂直帰線期間に対するデータ信号の重畳処理を実行するようにしている。このため、入力側及び出力側では、コンポーネント映像信号をコンポジット映像信号に変換する必要がなくなり、これにより装置構成の大型化及びコストアップを防止することができる。また、コンポーネント映像信号からコンポジット映像信号への変換処理が不要となる分、処理遅延等を起こさずに済む。
【０００９】
データ信号発生手段は、データ信号の波形データが記憶された記憶媒体を備えることを特徴とする。  
この構成によれば、記憶媒体に記憶されたデータ信号の波形データを用いて、データ信号を発生するだけでよいため、一からデータ信号の生成を行うことなく、簡単な手順で最適なデータ信号の発生処理を行い得る。
【００１０】
処理手段は、入力されたコンポーネント映像信号のデータ信号を重畳すべく垂直帰線期間のデータを消去する消去手段と、この消去手段により消去されたデータをデータ信号に置き換えるデータ置き換え手段とを備えることを特徴とする。  
この構成によれば、コンポーネント映像信号の垂直帰線期間のデータを消去し、その消去したデータ部分をデータ信号に置き換えるだけでよいため、垂直帰線期間のデータを解析する必要がなくなる分、簡単な手順でデータ信号の重畳処理を行うことができる。
【発明の効果】
【００１１】
以上詳述したようにこの発明によれば、周波数変換装置を不要とし、これにより装置構成の簡単小形化及び低価格化を図るとともに、コンポーネント映像信号の垂直帰線期間に対しデータ信号をリアルタイムに重畳し得るデータ信号重畳装置及びデータ信号重畳方法を提供することができる。
【発明を実施するための最良の形態】
【００１２】
以下、この発明の実施形態について図面を参照して詳細に説明する。  
図１は、デジタル放送の番組情報信号として放送するＮＴＳＣ映像信号のフレーム構造を示すものである。１フレームは、５２５ラインであり、垂直帰線期間と映像期間とから成る。この５２５ラインのうち、１２〜１４ラインには、例えばＣＭ（コマーシャル）を放送したか否かを示すタイムコードが挿入され、１９，２０ラインには放送制御情報としてネットキュー信号が挿入され、２１ラインには字幕信号が挿入される。  
これらタイムコード、ネットキュー信号及び字幕信号は、図２に示す信号フォーマットで該当するラインに挿入されることになる。
【００１３】
図３は、この発明の一実施形態に係わり、デジタル放送の放送局内で使用されるデータ信号重畳装置としてのＶＢＩ重畳装置を示すブロック構成図である。  
入力端子１１に入力されたＤ１コンポーネント信号は、シリアル／パラレル（Ｓ／Ｐ）変換器１２でパラレル信号に変換された後、データ消去器１３に供給される。
【００１４】
データ消去器１３は入力されたパラレル信号中のタイムコード、ネットキュー信号、字幕信号を重畳すべくラインのデータを消去してデータ重畳器１４に出力し、パケット処理器１５の指示に従ってラインのデータを消去する。  
パケット処理器１５には、予めＤ１コンポーネント信号の信号フォーマットに合わせて生成するためのデータ（テーブル）を持っていて、垂直帰線期間毎に重畳するＶＢＩパケットをデータから生成しＲＡＭ１６に書き込む。ＲＡＭ１６は、パケット処理器１５の指示に従って、該当する波形データをＶＢＩパケットデータとしてデータ重畳器１４へ出力する。
【００１５】
データ重畳器１４は、データ消去器１３の出力中の消去済みラインのデータをＲＡＭ１６から出力されるＶＢＩパケットデータに置き換えることで、Ｄ１コンポーネント信号中のＶＢＩにＶＢＩパケットデータを重畳する。  
以後、データ重畳器１４の出力は、パラレル／シリアル（Ｐ／Ｓ）変換器１７でシリアル信号に変換された後、出力端子１８から取り出される。
【００１６】
次に、上記構成による動作について説明する。  
入力端子１１に入力されるＤ１コンポーネント信号は、輝度情報を表すＹc，Ｙo、色情報を表すＰb，Ｐrの４種の成分ブロックから成るシリアル信号である。既知のＶＢＩパケットデータは、Ｄ２コンポジット信号の信号フォーマットで生成されているため、Ｄ１コンポーネント信号に対しＶＢＩパケットデータをそのまま重畳することができない。そこで、本実施形態では、Ｄ１コンポーネント信号の信号フォーマットでしかも放送用の規格に合わせた複数種のＶＢＩパケットデータを生成するためのデータ（テーブル）をパケット処理器１５のメモリ上に持っておき、これらＶＢＩパケットデータの波形データを垂直帰線期間毎にパケット処理器１５で生成してＲＡＭ１６に書き込んでおくようにした。
【００１７】
Ｓ／Ｐ変換器１２で変換されたパラレル信号は、データ消去器１３によって、ＶＢＩパケットデータを重畳すべくラインのデータが消去される。データ消去器１３は、パラレル信号からラインのデータを消去する。パケット処理器１５は、対応するＲＡＭ１６の波形データをＶＢＩパケットデータとしてデータ重畳器１４に転送する。  
データ重畳器１４は、データ消去器１３の出力のうち、パケット処理器１５の指示に従って、そのラインのデータをＲＡＭ１６からの波形データに置き換えて出力し、消去済み以外のラインであるならば、データ消去器１３の出力をそのままＰ／Ｓ変換器１７に転送する。
【００１８】
以上のように上記実施形態では、予めＤ１コンポーネント信号の信号フォーマットに合わせた複数種のＶＢＩパケットデータを記憶するパケット処理器１５のメモリを用意しておき、Ｄ１コンポーネント信号を入力端子１１にそのまま入力し、データ消去器１３によってこのＤ１コンポーネント信号の該当するラインのデータを消去し、データ重畳器１４によって消去済みラインのデータをＲＡＭ１６から読み出される波形データに置き換えるようにしている。
【００１９】
従って、入力側及び出力側では、Ｄ１コンポーネント信号をＤ２コンポジット信号に変換する周波数変換装置が不要となり、これにより装置構成の大型化及びコストアップを防止することができる。また、Ｄ１コンポーネント信号からＤ２コンポジット信号への変換処理が不要となる分、処理遅延等を起こさずに済む。
【００２０】
さらに、上記実施形態では、Ｄ１コンポーネント映像信号のＶＢＩのデータを消去し、その消去したデータ部分をＲＡＭ１６からのＶＢＩパケットデータに置き換えるだけでよいため、簡単な手順でＶＢＩパケットデータの重畳処理を行うことができる。
【００２１】
なお、この発明は上記実施形態の構成に限定されるものではない。例えばデータ消去器１３、データ重畳器１４及びパケット処理器１５をソフトウェアで構成するようにしてもよい。
図４は、データ消去機能、データ重畳機能及びパケット処理機能を有するマイクロコンピュータとしての信号処理部を備えたＶＢＩ重畳装置を示すブロック構成図である。なお、図４において、図３と同一部分には同一符号を付して示す。
【００２２】
例えばＳ／Ｐ変換器１２から出力されるパラレル信号が入力されることで、信号処理部２１が図５に示すような制御処理を開始する。
この制御処理を開始すると信号処理部２１は、ＶＢＩパケットデータを重畳すべきラインであるか、つまりタイムコードを重畳すべき１２〜１４ライン、ネットキュー信号を重畳すべき１９，２０ライン、字幕信号を重畳すべき２１ラインであるか否かを判定する（ステップＳＴ５ａ）。
【００２３】
ここで、該当するラインの場合に（Ｙｅｓ）、信号処理部２１はそのラインに重畳されているデータを消去し（ステップＳＴ５ｂ）、代わりにＲＡＭ１６から該当するＶＢＩパケットデータを読み出してＰ／Ｓ変換器１７に出力する（ステップＳＴ５ｃ）。一方、該当するライン以外の場合（Ｎｏ）、信号処理部２１はそのラインのデータをそのままＰ／Ｓ変換器１７に出力する（ステップＳＴ５ｄ）。
【００２４】
以上のように上記他の実施形態によってもこの発明を実施することができる。特に、各処理がソフトウェアにより実現できるので、構成が簡単になり、小型化に寄与することができる。
また、上記実施形態では、タイムコード、ネットキュー信号及び字幕信号をＤ１コンポーネント信号のＶＢＩに重畳する例について説明したが、タイムコード、ネットキュー信号及び字幕信号のうちの１つであってもよい。
その他、ＶＢＩ重畳装置の構成、重畳すべきＶＢＩパケットデータの内容、ＶＢＩパケットデータの重畳処理手順や処理内容等についても、この発明の要旨を逸脱しない範囲で種々変形して実施できる。
【図面の簡単な説明】
【００２５】
【図１】ＮＴＳＣ映像信号のフレーム構造を示す図。
【図２】ＶＢＩパケットデータの信号フォーマットを示す図。
【図３】この発明の一実施形態に係わるＶＢＩ重畳装置の構成を示すブロック図。
【図４】この発明の他の実施形態に係わるＶＢＩ重畳装置の構成を示すブロック図。
【図５】図４に示した信号処理部の動作を説明するために示すフローチャート。
【符号の説明】
【００２６】
１１…入力端子、１２…シリアル／パラレル（Ｓ／Ｐ）変換器、１３…データ消去器、１４…データ重畳器、１５…パケット処理器、１６…ＲＡＭ、１７…パラレル／シリアル（Ｐ／Ｓ）変換器、１８…出力端子、２１…信号処理部。
【図１】
2005277458.tif 000003
【図２】
2005277458.tif 000004
【図３】
2005277458.tif 000005
【図４】
2005277458.tif 000006
【図５】
2005277458.tif 000007